(57)【要約】    【課題】  ＰＴＯ軸及び入力軸を相対回転不能且つ折れ角自在に連結すると共に、本機及び作業機の連結作業及び分離作業の容易化を図る。    【解決手段】  本発明に係るＰＴＯ軸連結ユニットは、本機側に設けられた取付ブラケットと、作業機側に設けられた連結アームとによって、該作業機が該本機に対して枢支軸回り揺動自在且つ分離可能に連結された作業車輌に適用される。該ＰＴＯ軸連結ユニットは、ＰＴＯ軸及び入力軸を連結する自在継ぎ手と、該自在継ぎ手に相対回転自在且つ軸線方向移動不能に支持されるカバー部材とを備える。該カバー部材は、作業機の連結アームに対して、該作業機の本機に対する枢支軸と同軸回り揺動自在且つ着脱可能に連結されている。【選択図】  図１
2005257054.tif 000002
【特許請求の範囲】
【請求項１】
ＰＴＯ軸及び取付ブラケットを有する本機と、入力軸及び連結アームを有する作業機であって、該連結アームが前記取付ブラケットに対して枢支軸回り揺動自在且つ着脱可能に連結される作業機とを備えた作業車輌に適用されるＰＴＯ軸連結ユニットであって、
前記ＰＴＯ軸及び前記入力軸を軸線回り相対回転不能且つ折れ角自在に連結する自在継ぎ手と、
前記自在継ぎ手に相対回転自在且つ軸線方向移動不能に外挿されるカバー部材とを備え、
前記自在継ぎ手は、前記ＰＴＯ軸に軸線線回り相対回転不能且つ軸線方向移動可能に連結される駆動側部材と、前記入力軸に軸線回り相対回転不能に連結される従動側部材と、前記駆動側部材及び前記従動側部材のそれぞれと十字継ぎ手を介して連結される中間部材とを有し、
前記カバー部材は、前記駆動側部材に軸線回り回転自在且つ軸線方向移動不能に外挿される本体部と、前記本体部から前記中間部材へ向かって延びるアーム部とを有しており、
前記アーム部は、前記連結アームに対して前記枢支軸と同軸回り揺動自在且つ着脱可能に連結されることを特徴とするＰＴＯ軸連結ユニット。
【請求項２】
前記連結アームは、前記枢支軸と同軸上に配置された回動軸を有し、
前記アーム部は、自由端側が開き且つ前記回動軸が係入可能な軸受スペースを画する上片及び下片を有しており、
さらに、該ＰＴＯ軸連結ユニットは、前記回動軸が前記軸受スペースに係入された状態で該軸受スペースの自由端側開口を閉じるように、前記アーム部に着脱可能に装着される抜け止め部材を備えていることを特徴とする請求項１に記載のＰＴＯ軸連結ユニット。
【請求項３】
前記本機は、前記ＰＴＯ軸の突出端部を囲繞する保護カバーであって、自由端部が開口とされた保護カバーを有しており、
前記カバー部材の本体部は、前記駆動側部材を前記ＰＴＯ軸に連結させた状態において、前記保護カバー内に内挿されるように構成されており、
前記アーム部のうち前記抜け止め部材が装着される部位は、前記駆動側部材を前記ＰＴＯ軸に連結させた状態において、前記保護カバーの自由端部より外方に位置することを特徴とする請求項２に記載のＰＴＯ軸連結ユニット。
【請求項４】
前記カバー部材の本体部と前記自在継ぎ手の駆動側部材との間に配設されたベアリング部材をさらに備え、
前記ベアリング部材は、前記駆動側部材に軸線方向移動不能に外挿される内輪体と、前記本体部に軸線方向移動不能に内挿された外輪体と、前記内輪体及び外輪体の間に配設された転動体とを有していることを特徴とする請求項１から３の何れかに記載のＰＴＯ軸連結ユニット。
【請求項５】
前記従動側部材は、前記入力軸に対して軸線方向移動可能に連結されていることを特徴とする請求項１から４の何れかに記載のＰＴＯ軸連結ユニット。
【発明の詳細な説明】
【技術分野】
【０００１】
本発明は、本機のＰＴＯ軸と作業機の入力軸とを相対回転不能且つ折れ角自在に連結するＰＴＯ軸連結ユニットに関する。
【背景技術】
【０００２】
作業車輌の本機に設けられたＰＴＯ軸と該本機に付設される作業機に設けられた入力軸とを自在継ぎ手を介して軸線回り相対回転不能且つ折れ角自在に連結することにより、前記作業機を前記本機に対して枢支軸回り昇降可能とすることは、従来から公知である（例えば、下記特許文献１参照）。
斯かる作業車輌において、前記本機は、前記ＰＴＯ軸に加えて、取付ブラケットを有している。
他方、前記作業機は、前記入力軸に加えて、前記取付ブラケットに枢支軸回り揺動自在に連結される連結アームを有している。
【０００３】
ところで、前記自在継ぎ手は、前記ＰＴＯ軸に軸線回り相対回転不能に支持される駆動側部材と、前記入力軸に相対回転不能に支持される従動側部材と、前記駆動側部材及び前記従動側部材の間に位置する中間部材と、該中間部材の両端部をそれぞれ前記駆動側部材及び前記従動側部材に連結する一対の十字継ぎ手とを有し、前記一対の十字継ぎ手が回動中心として作用するようになっている。
従って、自在継ぎ手を用いて前記ＰＴＯ軸及び前記入力軸を連結する場合には、前記ＰＴＯ軸に対する入力軸の折れ位置と、前記取付ブラケットに対する前記連結アームの揺動支点とを略一致させる為に、該自在継ぎ手の中間部材を前記枢支軸と略同一軸方向位置に位置させる必要がある。
【０００４】
この点に関し、従来の作業車輌においては、前記ＰＴＯ軸と前記自在継ぎ手の駆動側部材とをピンによって軸線方向移動不能に固定していた為、作業機及び本機の連結作業及び分離作業が厄介であった。
【０００５】
即ち、軸振れ防止等の観点からＰＴＯ軸の突出端部は可及的に短くされている。従って、該ＰＴＯ軸に前記自在継ぎ手の駆動側部材を固定する作業は、本機に極めて近接された位置で行わざるを得ず、作業性が悪かった。
さらに、仕様によっては、前記ＰＴＯ軸の突出端部に作業者や外部部材が接触しないように、本機に、前記ＰＴＯ軸の突出端部を囲繞する保護カバーが設けられる場合がある。
このような場合には、該保護カバー内において、前記ピンの脱着を行わなければならず、作業性はますます悪化していた。
【特許文献１】実開昭５９−０２６９０２号公報
【発明の開示】
【発明が解決しようとする課題】
【０００６】
本発明は、前記従来技術に鑑みなされたものであり、本機に設けられたＰＴＯ軸と、該本機に対して枢支軸回り揺動自在に連結される作業機に設けられた入力軸とを、軸線回り相対回転不能且つ折れ角自在に連結可能であると共に、本機と作業機との連結作業及び分離作業の容易化を図り得るＰＴＯ軸連結ユニットの提供を、一の目的とする。
【課題を解決するための手段】
【０００７】
本発明は、前記目的を達成するために、ＰＴＯ軸及び取付ブラケットを有する本機と、入力軸及び連結アームを有する作業機であって、該連結アームが前記取付ブラケットに対して枢支軸回り揺動自在且つ着脱可能に連結される作業機とを備えた作業車輌に適用されるＰＴＯ軸連結ユニットを提供する。
本発明に係るＰＴＯ軸連結ユニットは、前記ＰＴＯ軸及び前記入力軸を軸線回り相対回転不能且つ折れ角自在に連結する自在継ぎ手と、前記自在継ぎ手に相対回転自在且つ軸線方向移動不能に外挿されるカバー部材とを備える。
前記自在継ぎ手は、前記ＰＴＯ軸に軸線線回り相対回転不能且つ軸線方向移動可能に連結される駆動側部材と、前記入力軸に軸線回り相対回転不能に連結される従動側部材と、前記駆動側部材及び前記従動側部材のそれぞれと十字継ぎ手を介して連結される中間部材とを有している。
前記カバー部材は、前記駆動側部材に軸線回り回転自在且つ軸線方向移動不能に外挿される本体部と、前記本体部から前記中間部材へ向かって延びるアーム部とを有している。
前記アーム部は、前記連結アームに対して前記枢支軸と同軸回り揺動自在且つ着脱可能に連結可能とされている。
【０００８】
一態様においては、前記連結アームは、前記枢支軸と同軸上に配置された回動軸を有している。
そして、前記アーム部は、自由端側が開き且つ前記回動軸が係入可能な軸受スペースを画する上片及び下片を有している。
斯かる態様において、該ＰＴＯ軸連結ユニットは、前記回動軸が前記軸受スペースに係入された状態で該軸受スペースの自由端側開口を閉じるように、前記アーム部に着脱可能に装着される抜け止め部材を備えることができる。
【０００９】
前記本機が、前記ＰＴＯ軸の突出端部を囲繞する保護カバーであって、自由端部が開口とされた保護カバーを有する態様においては、前記カバー部材の本体部は、前記駆動側部材を前記ＰＴＯ軸に連結させた状態において、前記保護カバー内に内挿されるように構成される。さらに、前記アーム部のうち前記抜け止め部材が装着される部位は、前記駆動側部材を前記ＰＴＯ軸に連結させた状態において、前記保護カバーの自由端部より外方に位置するように構成され得る。
【００１０】
前記種々の態様において、好ましくは、前記カバー部材の本体部と前記自在継ぎ手の駆動側部材との間に配設されるベアリング部材を備え得る。
該ベアリング部材は、前記駆動側部材に軸線方向移動不能に外挿される内輪体と、前記本体部に軸線方向移動不能に内挿される外輪体と、前記内輪体及び外輪体の間に配設された転動体とを有し得る。
【００１１】
例えば、前記枢支軸及び前記回動軸は、前記連結アームを基準にして幅方向外方及び幅方向内方へ延びるものとされる。
【００１２】
好ましくは、前記種々の態様において、前記従動側部材は、前記入力軸に対して軸線方向移動可能に連結される。
【発明の効果】
【００１３】
以上のように、本発明によれば、自在継ぎ手に相対回転自在且つ軸線方向移動不能に外挿されるカバー部材を設け、該カバー部材を作業機側の連結アームに対して該作業機の揺動支点回り揺動自在且つ着脱可能に連結させたので、作業機及び本機の連結作業及び分離作業を極めて容易に行うことができる。
【発明を実施するための最良の形態】
【００１４】
以下、本発明に係るＰＴＯ軸連結ユニットの好ましい実施の形態について、図面を参照しつつ説明する。
図１は、本実施の形態に係るＰＴＯ軸連結ユニット１の一部横断平面図である。
又、図２は、図１におけるII-II線に沿った該ＰＴＯ軸連結ユニット１の一部縦断側面図である。
【００１５】
図１及び図２に示すように、本機１００と、該本機１００から動力を入力すると共に、該本機１００に対して枢支軸３００回り揺動自在に連結された作業機２００とを有する作業車輌に適用される。
【００１６】
詳しくは、前記本機１００は、一端部が外方へ突出されたＰＴＯ軸１１０と、前記作業機２００との連結を行う為の取付ブラケット１２０とを有している。
他方、前記作業機２００は、前記ＰＴＯ軸１１０から動力を受ける入力軸２１０と、前記取付ブラケット１２０に着脱可能に連結される連結アーム２２０とを有している。
【００１７】
図３に、図１におけるIII-III線断面図を示す。
図１及び図３に示すように、前記連結アーム２２０は、ピン等の第１抜け止め部材３１０を介して前記取付ブラケット１２０に対して着脱自在に連結されている。
又、該連結アーム２２０は、前記取付ブラケット１２０との連結状態においては、該取付ブラケット１２０に対して軸線方向移動且つ枢支軸３００回りに揺動自在とされている。
【００１８】
本実施の形態においては、前記連結アーム２２０は、前記枢支軸３００を一体的に有している。
そして、前記取付ブラケット１２０は、自由端側が開いた第１軸受スペース１３０であって、前記枢支軸３００が係入可能な第１軸受スペース１３０を有している。
なお、図示の形態においては、前記取付ブラケット１２０は、前記枢支軸３００を挟んで上方及び下方に位置する上片１３１及び下片１３２を有しており、該上片１３１及び下片１３２によって前記第１軸受スペース１３０が画されるようになっている。
そして、前記上辺１３１及び下片１３２の間に前記連結アーム２２０に設けられた枢支軸３００が位置するように、該連結アーム２２０及び前記取付ブラケット１２０を係合させ、且つ、この状態で、前記第１軸受スペース１３０の自由端側開口を前記第１抜け止め部材３１０によって閉じることにより、該連結アーム２２０は前記取付ブラケット１２０に対して枢支軸３００回り揺動自在且つ分離不能に連結される。
【００１９】
斯かる構成を備えることにより、前記作業機２００は、前記本機１００に備えられる昇降駆動装置（例えば、油圧シリンダ）の駆動力によって、前記枢支軸３００回りに昇降可能とされている。
【００２０】
斯かる作業車輌に適用される前記ＰＴＯ軸連結ユニット１は、前記ＰＴＯ軸１１０及び前記入力軸２１０を着脱可能に連結すると共に、連結状態においては、両軸１１０，２１０を軸線回り相対回転不能且つ折れ角自在とし得るようになっている。
【００２１】
具体的には、該ＰＴＯ軸連結ユニット１は、前記ＰＴＯ軸１１０及び前記入力軸２１０を軸線回り相対回転不能且つ折れ角自在に連結する自在継ぎ手１０と、該自在継ぎ手１０に相対回転自在且つ軸線方向移動不能に外挿されるカバー部材５０とを備えている。
【００２２】
図１及び図２に示すように、前記自在継ぎ手１０は、前記ＰＴＯ軸１１０に軸線線回り相対回転不能且つ軸線方向移動可能に連結される駆動側部材１１と、前記入力軸２１０に軸線回り相対回転不能に連結される従動側部材２１と、前記駆動側部材１１及び前記従動側部材２１を連結する中間部材３１と、該中間部材３１の一端部及び他端部をそれぞれ前記駆動側部材１１及び前記従動側部材２１に連結する一対の十字継ぎ手４１とを有している。
【００２３】
本実施の形態において、前記カバー部材５０は、前記自在継ぎ手１０の駆動側部材１１に相対回転不能且つ軸線方向移動不能に外挿支持されている。
詳しくは、図１及び図２に示すように、該カバー部材５０は、前記駆動側部材１１に軸線回り回転自在且つ軸線方向移動不能に外挿される本体部５１と、該本体部５１から前記中間部材３１の方向へ延びるアーム部６１とを有している。
【００２４】
本実施の形態においては、前記本体部５１は、ベアリング部材７０を介して、前記駆動側部材１１に相対回転自在且つ軸線方向移動不能に外挿支持されている。
詳しくは、該ベアリング部材７０は、固定リング等の保持部材を介して前記駆動側部材１１に軸線方向移動不能に外挿される内輪体７１と、ベアリングプレート及び固定リング等の保持部材を介して前記本体部５１に軸線方向移動不能に内挿される外輪体７２と、前記内輪体７１及び外輪体７２の間に配設されるボール等の転動体７３とを有している。
【００２５】
前記アーム部６１は、前記連結アーム２２０に対して前記枢支軸３００と同軸上の回動軸４００回り回転自在に連結されると共に、該連結アーム２２０に対して着脱可能とされている。
なお、本実施の形態においては、前記回動軸４００は前記連結アーム２２０から車輌幅方向内方へ突出されており、且つ、前記枢支軸３００は該連結アーム２２０から車輌幅方向外方へ突出されている。
【００２６】
前記アーム部６１は、自由端側が開いた第２軸受スペース８０であって、前記回動軸４００が係入可能な第２軸受スペース８０を有している。
詳しくは、前記アーム部６１は、前記回動軸４００を挟んで上方及び下方に位置する上片６２及び下片６３を有しおり、該上片６２及び下片６３によって前記第２軸受スペース８０が画されるようになっている。
【００２７】
さらに、該ＰＴＯ軸連結ユニット１は、前記回動軸４００が前記第２軸受スペース８０に係入された状態で該第２軸受スペース８０の自由端側開口を閉じる第２抜け止め部材９０を有している。
該第２抜け止め部材９０は、前記アーム部６１に着脱可能とされる。
詳しくは、該第２抜け止め部材９０は、前記アーム部６１の上片６２及び下片６３によって画される第２軸受スペース８０を閉じるように該アーム部６１に装着され、これにより、前記カバー部材５０と前記入力軸２１０との分離を防止するようになっている。
そして、該第２抜け止め部材９０を前記アーム部６１から取り外すと、前記カバー部材５０は前記入力軸２１０から分離可能となる。
【００２８】
斯かる構成のＰＴＯ軸連結ユニット１においては以下の効果を得ることができる。
即ち、前記カバー部材５０は、前記第２抜け止め部材９０及び前記第２軸受スペース８０によって、前記連結アーム２２０に対して前記回動軸４００回り揺動自在且つ脱離不能に連結されている。
さらに、該カバー部材５０は、前述の通り、前記自在継ぎ手１０の駆動側部材１１に軸線方向移動不能に外挿されている。
つまり、前記自在継ぎ手１０は、前記カバー部材５０を介して、前記連結アーム２２０に対して軸線方向移動不能に保持されている。
従って、図４に示すように、前記作業機２００を前記枢支軸３００（及び前記回動軸４００）回りに上昇させたとしても、前記自在継ぎ手１０がＰＴＯ軸１１０及び入力軸２１０の軸線方向には移動せず、該自在継ぎ手１０の折れ位置（中間部材３１の位置）を確実に前記枢支軸３００（及び前記回動軸４００）上に位置させることができる。
【００２９】
さらに、該ＰＴＯ軸連結ユニット１によれば、従来構成に比して、前記本機１００及び前記作業機２００の連結作業及び分離作業を極めて容易に行うことができる。
即ち、従来においては、自在継ぎ手の軸線方向移動を防止する為に、該自在継ぎ手の駆動側部材と該ＰＴＯ軸とをピンによって連結していた。
ところで、ＰＴＯ軸１１０の突出長さを長くすると、該ＰＴＯ軸１１０の軸振れ等が生じる為、通常、ＰＴＯ軸１１０の突出長さは可及的に短縮化される。
従って、前記従来構成においては、自在継ぎ手の駆動側部材とＰＴＯ軸とのピン連結作業を、本機１００に極めて近接した位置で行わなければならず、非常に手間取るものであった。
【００３０】
特に、本機１００の仕様によっては、ＰＴＯ軸１１０の突出部分（露出部分）に作業者等が不意に接触しないように、該ＰＴＯ軸１１０の突出部分を囲繞する保護カバー１５０が設けられる場合がある（図１及び図２参照）。
斯かる場合には、前記ピンの抜き差し作業を該保護カバー１５０内で行わなければならず、さらに作業性が悪化するものであった。
【００３１】
これに対し、本実施の形態においては、前述の通り、前記自在継ぎ手１０は、前記ＰＴＯ軸１１０に軸線方向移動可能に外挿されつつ、且つ、前記カバー部材５０を介して前記連結アーム２２０によって軸線方向位置が保持されている。
従って、前記取付ブラケット１２０及び前記連結アーム２２０の脱離を防止する前記第１抜け止め部材３１０を取り外すだけで、作業機２００を本機１００から分離させることができる（図５参照）。
【００３２】
さらに好ましくは、前記自在継ぎ手１０の従動側部材２１を前記入力軸２１０に対して軸線方向移動可能とすることができる。
斯かる構成を備えることにより、前記枢支軸４００近傍に位置する前記第２抜け止め部材９０を取り外すという極めて簡単な作業によって、自在継ぎ手１０を入力軸２１０から簡単に取り外すことができる。
従って、自在継ぎ手１０の交換や入力軸２１０のメンテナンス等を極めて容易に行うことができる。
【００３３】
なお、前記第１及び第２抜け止め部材３１０，９０は、取付ブラケット１２０及びカバー部材５０に対して着脱可能であり、且つ、装着状態において対応する軸の軸受スペースからの脱離を防止し得る限り、ピンやボルト等種々の手段を採用し得る。
【図面の簡単な説明】
【００３４】
【図１】図１は、本発明の一実施の形態に係るＰＴＯ軸連結ユニットの一部横断平面図である。
【図２】図２は、図１におけるII-II線に沿った前記ＰＴＯ軸連結ユニットの一部縦断側面図である。
【図３】図３は、図１におけるIII-III線断面図である。
【図４】図４は、前記ＰＴＯ軸連結ユニットの一部縦断側面図であり、作業機が枢支軸回りに上昇された状態を示している。
【図５】図５は、前記ＰＴＯ軸連結ユニットの一部横断平面図であり、作業機が本機から分離された状態を示している。
【符号の説明】
【００３５】
１              ＰＴＯ軸連結ユニット
１０            自在継ぎ手
１１            駆動側部材
２１            従動側部材
３１            中間部材
４１            十字継ぎ手
５０            カバー部材
５１            本体部
６１            アーム部
６２            上片
６３            下片
７０            ベアリング部材
７１            内輪体
７２            外輪体
７３            転動体
８０            軸受スペース
９０            抜け止め部材
１００          本機
１１０          ＰＴＯ軸
１２０          取付ブラケット
１５０          保護カバー
２００          作業機
２１０          入力軸
２２０          連結アーム
３００          枢支軸
４００          回動軸
【図１】
2005257054.tif 000003
【図２】
2005257054.tif 000004
【図３】
2005257054.tif 000005
【図４】
2005257054.tif 000006
【図５】
2005257054.tif 000007